(57)【要約】【課題】  複写対象物の画像を読み取って複写する際に、複写対象物に付されている情報に応じて、画像読み取りや画像形成を正確に制御する。【解決手段】  原稿読み取り手段により複写対象物の内容を画像情報として読み取って複写する機能を備えた画像形成装置であって、複写対象物に貼付されている無線タグから記憶情報を取り出す通信手段と、複写対象物の画像情報を読み取る原稿読み取り手段と、前記原稿読み取り手段で読み取られた複写対象物の画像情報に応じて記録紙上に画像を形成する画像形成手段と、前記通信手段で読み取られた複写対象物の無線タグの記憶情報に従って前記画像読み取り手段と前記画像形成手段との少なくとも一方の手段を制御する制御手段と、を備える。【選択図】      図１
2005117410.tif 000002
【特許請求の範囲】
【請求項１】
原稿読み取り手段により複写対象物の内容を画像情報として読み取って複写する機能を備えた装置の画像形成方法であって、
複写対象物に貼付されている無線タグから記憶情報を取り出す通信ステップと、
複写対象物の画像情報を読み取る原稿読み取りステップと、
前記原稿読み取りステップで読み取られた複写対象物の画像情報に応じて記録紙上に画像を形成する画像形成ステップと、
前記通信ステップで読み取られた複写対象物の無線タグの記憶情報に従って前記画像読み取りステップと前記画像形成ステップとの少なくとも一方のステップを制御する制御ステップと、
により画像形成を行うことを特徴とする画像形成方法。
【請求項２】
原稿読み取り手段により複写対象物の内容を画像情報として読み取って複写する機能を備えた装置の画像形成方法であって、
複写対象物に貼付されている無線タグから記憶情報を取り出す通信ステップと、
複写対象物の画像情報を読み取る原稿読み取りステップと、
前記原稿読み取りステップで読み取られた複写対象物の画像情報に応じて記録紙上に画像を形成する画像形成ステップと、
前記通信ステップで読み取られた複写対象物の無線タグの記憶情報に従って前記画像読み取りステップと前記画像形成ステップとの少なくとも一方のステップを制御する制御ステップと、
前記原稿読み取りステップもしくは前記画像形成ステップの少なくとも一方の動作に応じて、前記複写対象物に貼付されている無線タグの記憶情報を更新する情報更新ステップと、
により画像形成を行うことを特徴とする画像形成方法。
【請求項３】
前記制御ステップでは、前記通信ステップで読み取られた複写対象物の無線タグの記憶情報に従って、前記画像読み取りステップの実行許可／実行不許可を決定する、
ことを特徴とする請求項１または請求項２のいずれかに記載の画像形成方法。
【請求項４】
前記制御ステップでは、前記通信ステップで読み取られた複写対象物の無線タグの記憶情報に従って、前記画像読み取りステップの実行条件を決定する、
ことを特徴とする請求項１または請求項２のいずれかに記載の画像形成方法。
【請求項５】
前記制御ステップでは、前記通信ステップで読み取られた複写対象物の無線タグの記憶情報に従って、前記画像読み取りステップを実行する際の色数を決定する、
ことを特徴とする請求項１または請求項２のいずれかに記載の画像形成方法。
【請求項６】
前記制御ステップでは、前記通信ステップで読み取られた複写対象物の無線タグの記憶情報に従って、前記画像読み取りステップを実行する際の階調数を決定する、
ことを特徴とする請求項１または請求項２のいずれかに記載の画像形成方法。
【請求項７】
前記制御ステップでは、前記通信ステップで読み取られた複写対象物の無線タグの記憶情報に従って、前記画像読み取りステップを実行する際の画素密度を決定する、
ことを特徴とする請求項１または請求項２のいずれかに記載の画像形成方法。
【請求項８】
前記制御ステップでは、前記通信ステップで読み取られた複写対象物の無線タグの記憶情報に従って、前記画像読み取りステップを実行する際の実行限度回数を決定する、
ことを特徴とする請求項１または請求項２のいずれかに記載の画像形成方法。
【請求項９】
前記制御ステップでは、前記通信ステップで読み取られた複写対象物の無線タグの記憶情報に従って、前記画像形成ステップの実行許可／実行不許可を決定する、
ことを特徴とする請求項１または請求項２のいずれかに記載の画像形成方法。
【請求項１０】
前記制御ステップでは、前記通信ステップで読み取られた複写対象物の無線タグの記憶情報に従って、前記画像形成ステップの実行条件を決定する、
ことを特徴とする請求項１または請求項２のいずれかに記載の画像形成方法。
【請求項１１】
前記制御ステップでは、前記通信ステップで読み取られた複写対象物の無線タグの記憶情報に従って、前記画像形成ステップを実行する際の色数を決定する、
ことを特徴とする請求項１または請求項２のいずれかに記載の画像形成方法。
【請求項１２】
前記制御ステップでは、前記通信ステップで読み取られた複写対象物の無線タグの記憶情報に従って、前記画像形成ステップを実行する際の階調数を決定する、
ことを特徴とする請求項１または請求項２のいずれかに記載の画像形成方法。
【請求項１３】
前記制御ステップでは、前記通信ステップで読み取られた複写対象物の無線タグの記憶情報に従って、前記画像形成ステップを実行する際の画素密度を決定する、
ことを特徴とする請求項１または請求項２のいずれかに記載の画像形成方法。
【請求項１４】
前記制御ステップでは、前記通信ステップで読み取られた複写対象物の無線タグの記憶情報に従って、前記画像形成ステップを実行する際の実行限度回数を決定する、
ことを特徴とする請求項１または請求項２のいずれかに記載の画像形成方法。
【請求項１５】
前記制御ステップでは、前記通信ステップで読み取られた複写対象物の無線タグの記憶情報に従って、前記画像形成ステップを実行する際に所定の画像を含めるようにする、
ことを特徴とする請求項１乃至請求項１４のいずれかに記載の画像形成方法。
【請求項１６】
前記制御ステップでは、前記通信ステップで読み取られた複写対象物の無線タグの記憶情報に従って、前記画像形成ステップを実行する際に、前記無線タグに記憶された画像を含めるようにする、
ことを特徴とする請求項１乃至請求項１４のいずれかに記載の画像形成方法。
【請求項１７】
原稿読み取り手段により複写対象物の内容を画像情報として読み取って複写する機能を備えた画像形成装置であって、
複写対象物に貼付されている無線タグから記憶情報を取り出す通信手段と、
複写対象物の画像情報を読み取る原稿読み取り手段と、
前記原稿読み取り手段で読み取られた複写対象物の画像情報に応じて記録紙上に画像を形成する画像形成手段と、
前記通信手段で読み取られた複写対象物の無線タグの記憶情報に従って前記画像読み取り手段と前記画像形成手段との少なくとも一方の手段を制御する制御手段と、
を備えたことを特徴とする画像形成装置。
【請求項１８】
原稿読み取り手段により複写対象物の内容を画像情報として読み取って複写する機能を備えた画像形成装置であって、
複写対象物に貼付されている無線タグから記憶情報を取り出す通信手段と、
複写対象物の画像情報を読み取る原稿読み取り手段と、
前記原稿読み取り手段で読み取られた複写対象物の画像情報に応じて記録紙上に画像を形成する画像形成手段と、
前記通信手段で読み取られた複写対象物の無線タグの記憶情報に従って前記画像読み取り手段と前記画像形成手段との少なくとも一方の手段を制御する制御手段と、
前記原稿読み取り手段もしくは前記画像形成手段の少なくとも一方の動作に応じて、前記複写対象物に貼付されている無線タグの記憶情報を更新する情報更新手段と、
を備えたことを特徴とする画像形成装置。
【請求項１９】
前記制御手段では、前記通信手段で読み取られた複写対象物の無線タグの記憶情報に従って、前記画像読み取り手段の実行許可／実行不許可を決定する、
ことを特徴とする請求項１７または請求項１８のいずれかに記載の画像形成装置。
【請求項２０】
前記制御手段では、前記通信手段で読み取られた複写対象物の無線タグの記憶情報に従って、前記画像読み取り手段の実行条件を決定する、
ことを特徴とする請求項１７または請求項１８のいずれかに記載の画像形成装置。
【請求項２１】
前記制御手段では、前記通信手段で読み取られた複写対象物の無線タグの記憶情報に従って、前記画像読み取り手段を実行する際の色数を決定する、
ことを特徴とする請求項１７または請求項１８のいずれかに記載の画像形成装置。
【請求項２２】
前記制御手段では、前記通信手段で読み取られた複写対象物の無線タグの記憶情報に従って、前記画像読み取り手段を実行する際の階調数を決定する、
ことを特徴とする請求項１７または請求項１８のいずれかに記載の画像形成装置。
【請求項２３】
前記制御手段では、前記通信手段で読み取られた複写対象物の無線タグの記憶情報に従って、前記画像読み取り手段を実行する際の画素密度を決定する、
ことを特徴とする請求項１７または請求項１８のいずれかに記載の画像形成装置。
【請求項２４】
前記制御手段では、前記通信手段で読み取られた複写対象物の無線タグの記憶情報に従って、前記画像読み取り手段を実行する際の実行限度回数を決定する、
ことを特徴とする請求項１７または請求項１８のいずれかに記載の画像形成装置。
【請求項２５】
前記制御手段では、前記通信手段で読み取られた複写対象物の無線タグの記憶情報に従って、前記画像形成手段の実行許可／実行不許可を決定する、
ことを特徴とする請求項１７または請求項１８のいずれかに記載の画像形成装置。
【請求項２６】
前記制御手段では、前記通信手段で読み取られた複写対象物の無線タグの記憶情報に従って、前記画像形成手段の実行条件を決定する、
ことを特徴とする請求項１７または請求項１８のいずれかに記載の画像形成装置。
【請求項２７】
前記制御手段では、前記通信手段で読み取られた複写対象物の無線タグの記憶情報に従って、前記画像形成手段を実行する際の色数を決定する、
ことを特徴とする請求項１７または請求項１８のいずれかに記載の画像形成装置。
【請求項２８】
前記制御手段では、前記通信手段で読み取られた複写対象物の無線タグの記憶情報に従って、前記画像形成手段を実行する際の階調数を決定する、
ことを特徴とする請求項１７または請求項１８のいずれかに記載の画像形成装置。
【請求項２９】
前記制御手段では、前記通信手段で読み取られた複写対象物の無線タグの記憶情報に従って、前記画像形成手段を実行する際の画素密度を決定する、
ことを特徴とする請求項１７または請求項１８のいずれかに記載の画像形成装置。
【請求項３０】
前記制御手段では、前記通信手段で読み取られた複写対象物の無線タグの記憶情報に従って、前記画像形成手段を実行する際の実行限度回数を決定する、
ことを特徴とする請求項１７または請求項１８のいずれかに記載の画像形成装置。
【請求項３１】
前記制御手段では、前記通信手段で読み取られた複写対象物の無線タグの記憶情報に従って、前記画像形成手段を実行する際に所定の画像を含めるようにする、
ことを特徴とする請求項１７乃至請求項３０のいずれかに記載の画像形成装置。
【請求項３２】
前記制御手段では、前記通信手段で読み取られた複写対象物の無線タグの記憶情報に従って、前記画像形成手段を実行する際に、前記無線タグに記憶された画像を含めるようにする、
ことを特徴とする請求項１７乃至請求項３０のいずれかに記載の画像形成装置。
【発明の詳細な説明】
【技術分野】
【０００１】
本発明は画像形成方法および画像形成装置に関し、特に、無線タグ（ＲＦ ＩＤ）が貼付された複写対象物を適切に取り扱うことが可能な画像形成方法および画像形成装置に関する。
【背景技術】
【０００２】
「無線タグ」は、無線通信ＩＣとアンテナとを内蔵したチップであり、RF IDとも呼ばれる。そして、この無線通信ＩＣ内にさまざまな情報が記録されており、専用のリーダやライタを使用することで、無線通信ＩＣ内に記憶された情報をリードあるいはライトすることができる。
【０００３】
すなわち、無線タグとは、半導体とアンテナが内部に埋め込まれた、外部と無線で通信して個々のＩＤ（シリアル番号）を識別する電子の荷札（タグ）であるとも言うことができる。電子のタグといっても、アンテナで受信する電波から電源をとるために電池が不要で、耐環境性も高く、低コストに製造可能である。
【０００４】
また、この無線タグは小型かつ薄型であるため、各種の商品を製造あるいは流通させる段階で固有識別するために用いられつつある。
【０００５】
そして、書籍などにも無線タグを貼付することが可能であるが、無線タグに対応して動作する複写装置は存在していなかった。
【０００６】
なお、複写装置の分野で類似する技術としては、以下の特許文献１〜特許文献４にあるように、複写機能に関連する専用画像を複写対象物に予め記録（印刷）しておいて、その特殊画像に応じて複写装置の動作が制御されるものであった。
【０００７】
また、以下の特許文献５にあるように、画像に埋め込まれた識別記号を読み取って、特定の動作を行うものがある。
【０００８】
また、以下の特許文献６にあるように、共振タグを印刷対象に取り付け、その種類によって複写動作の制御を行うものがある。
【特許文献１】特開平１４−３０５６４６号公報（第１頁、図１）
【特許文献２】特開平１１−２２０６１０号公報（第１頁、図１）
【特許文献３】特開平１０−１２６６０７号公報（第１頁、図１）
【特許文献４】特開平１０−２８５３８５号公報（第１頁、図１）
【特許文献５】特開平１１−３５５５５７号公報（第１頁、図１）
【特許文献６】特開２００３−３７６９４号公報（第１頁、図１）
【発明の開示】
【発明が解決しようとする課題】
【０００９】
以上の特許文献１〜特許文献４にあるような技術は、専用の画像を用いているため、複写を繰り返していくうちに画像が劣化し、正確な読み取りができず、意図した動作を行えない事態になることがある。
【００１０】
また、以上の特許文献５にあるような技術も、原稿画像に添付されている識別画像を読み取り、複写または読み取りの制御をする場合など、ユーザが他の識別画像を原稿に貼り付けた場合には正しい制御が行われない問題がある。
【００１１】
さらに、以上の特許文献６にあるような技術では、制御の種類を変更する場合には、共振タグそのものを異なる共振周波数のものに取り替えなければならず、共振タグの張り替え作業が発生し、非常に面倒であった。また、制御の種類を増やしていくと、共振タグの共振周波数が近づいてきて、誤った読み取りによって誤動作が発生することもある。
【００１２】
また、以上のいずれの特許文献の場合であっても、複写履歴を管理し、複写回数を制限するような制御を行うことはできなかった。
【００１３】
本発明は以上の課題に鑑みてなされたものであって、複写対象物の画像を読み取って複写する際に、複写対象物に付されている情報に応じて、画像読み取りや画像形成を正確に制御することが可能な画像形成方法および画像形成装置を実現することを目的とする。
【課題を解決するための手段】
【００１４】
すなわち、上記の課題を解決する手段としての本願発明は以下に述べるようなものである。
【００１５】
（１）請求項１記載の発明は、原稿読み取り手段により複写対象物の内容を画像情報として読み取って複写する機能を備えた装置の画像形成方法であって、複写対象物に貼付されている無線タグから記憶情報を取り出す通信ステップと、複写対象物の画像情報を読み取る原稿読み取りステップと、前記原稿読み取りステップで読み取られた複写対象物の画像情報に応じて記録紙上に画像を形成する画像形成ステップと、前記通信ステップで読み取られた複写対象物の無線タグの記憶情報に従って前記画像読み取りステップと前記画像形成ステップとの少なくとも一方のステップを制御する制御ステップと、により画像形成を行うことを特徴とする画像形成方法である。
【００１６】
また、請求項１７記載の発明は、原稿読み取り手段により複写対象物の内容を画像情報として読み取って複写する機能を備えた画像形成装置であって、複写対象物に貼付されている無線タグから記憶情報を取り出す通信手段と、複写対象物の画像情報を読み取る原稿読み取り手段と、前記原稿読み取り手段で読み取られた複写対象物の画像情報に応じて記録紙上に画像を形成する画像形成手段と、前記通信手段で読み取られた複写対象物の無線タグの記憶情報に従って前記画像読み取り手段と前記画像形成手段との少なくとも一方の手段を制御する制御手段と、を備えたことを特徴とする画像形成装置である。
【００１７】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取りと画像形成との少なくとも一方を制御する。
【００１８】
ここで、無線タグに記憶された情報を用いて画像読み取りもしくは画像形成を制御しているため、識別画像などを用いて制御する場合と比較して、正確な制御が可能になる。また、共振タグなどを用いて制御する場合と比較すると、多様な制御が正確な状態で可能になる。
【００１９】
（２）請求項２記載の発明は、原稿読み取り手段により複写対象物の内容を画像情報として読み取って複写する機能を備えた装置の画像形成方法であって、複写対象物に貼付されている無線タグから記憶情報を取り出す通信ステップと、複写対象物の画像情報を読み取る原稿読み取りステップと、前記原稿読み取りステップで読み取られた複写対象物の画像情報に応じて記録紙上に画像を形成する画像形成ステップと、前記通信ステップで読み取られた複写対象物の無線タグの記憶情報に従って前記画像読み取りステップと前記画像形成ステップとの少なくとも一方のステップを制御する制御ステップと、前記原稿読み取りステップもしくは前記画像形成ステップの少なくとも一方の動作に応じて、前記複写対象物に貼付されている無線タグの記憶情報を更新する情報更新ステップと、により画像形成を行うことを特徴とする画像形成方法である。
【００２０】
また、請求項１８記載の発明は、原稿読み取り手段により複写対象物の内容を画像情報として読み取って複写する機能を備えた画像形成装置であって、複写対象物に貼付されている無線タグから記憶情報を取り出す通信手段と、複写対象物の画像情報を読み取る原稿読み取り手段と、前記原稿読み取り手段で読み取られた複写対象物の画像情報に応じて記録紙上に画像を形成する画像形成手段と、前記通信手段で読み取られた複写対象物の無線タグの記憶情報に従って前記画像読み取り手段と前記画像形成手段との少なくとも一方の手段を制御する制御手段と、前記原稿読み取り手段もしくは前記画像形成手段の少なくとも一方の動作に応じて、前記複写対象物に貼付されている無線タグの記憶情報を更新する情報更新手段と、を備えたことを特徴とする画像形成装置である。
【００２１】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取りと画像形成との少なくとも一方を制御する。
【００２２】
ここで、無線タグに記憶された情報を用いて画像読み取りもしくは画像形成を制御しているため、識別画像などを用いて制御する場合と比較して、正確な制御が可能になる。また、共振タグなどを用いて制御する場合と比較すると、多様な制御が正確な状態で可能になる。
【００２３】
また、原稿読み取りもしくは画像形成の動作に応じて、複写対象物に貼付されている無線タグの記憶情報を更新する。
【００２４】
（３）請求項３記載の発明は、前記制御ステップでは、前記通信ステップで読み取られた複写対象物の無線タグの記憶情報に従って、前記画像読み取りステップの実行許可／実行不許可を決定する、ことを特徴とする請求項１または請求項２のいずれかに記載の画像形成方法である。
【００２５】
また、請求項１９記載の発明は、前記制御手段では、前記通信手段で読み取られた複写対象物の無線タグの記憶情報に従って、前記画像読み取り手段の実行許可／実行不許可を決定する、ことを特徴とする請求項１７または請求項１８のいずれかに記載の画像形成装置である。
【００２６】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取りの実行許可／実行不許可を決定し、制御する。
【００２７】
ここで、無線タグに記憶された情報を用いて画像読み取り許可／不許可を制御しているため、識別画像などを用いて制御する場合と比較して、正確な制御が可能になる。また、共振タグなどを用いて制御する場合と比較すると、多様な制御が正確な状態で可能になる。
【００２８】
（４）請求項４記載の発明は、前記制御ステップでは、前記通信ステップで読み取られた複写対象物の無線タグの記憶情報に従って、前記画像読み取りステップの実行条件を決定する、ことを特徴とする請求項１または請求項２のいずれかに記載の画像形成方法である。
【００２９】
また、請求項２０記載の発明は、前記制御手段では、前記通信手段で読み取られた複写対象物の無線タグの記憶情報に従って、前記画像読み取り手段の実行条件を決定する、ことを特徴とする請求項１７または請求項１８のいずれかに記載の画像形成装置である。
【００３０】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取りの実行条件を決定し、制御する。
【００３１】
ここで、無線タグに記憶された情報を用いて画像読み取り実行条件を制御しているため、識別画像などを用いて制御する場合と比較して、正確な制御が可能になる。また、共振タグなどを用いて制御する場合と比較すると、多様な制御が正確な状態で可能になる。
【００３２】
（５）請求項５記載の発明は、前記制御ステップでは、前記通信ステップで読み取られた複写対象物の無線タグの記憶情報に従って、前記画像読み取りステップを実行する際の色数を決定する、ことを特徴とする請求項１または請求項２のいずれかに記載の画像形成方法である。
【００３３】
また、請求項２１記載の発明は、前記制御手段では、前記通信手段で読み取られた複写対象物の無線タグの記憶情報に従って、前記画像読み取り手段を実行する際の色数を決定する、ことを特徴とする請求項１７または請求項１８のいずれかに記載の画像形成装置である。
【００３４】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取り色数を決定し、制御する。
【００３５】
ここで、無線タグに記憶された情報を用いて画像読み取りでの色数を制御しているため、識別画像などを用いて制御する場合と比較して、正確な制御が可能になる。また、共振タグなどを用いて制御する場合と比較すると、多様な制御が正確な状態で可能になる。
【００３６】
（６）請求項６記載の発明は、前記制御ステップでは、前記通信ステップで読み取られた複写対象物の無線タグの記憶情報に従って、前記画像読み取りステップを実行する際の階調数を決定する、ことを特徴とする請求項１または請求項２のいずれかに記載の画像形成方法である。
【００３７】
また、請求項２２記載の発明は、前記制御手段では、前記通信手段で読み取られた複写対象物の無線タグの記憶情報に従って、前記画像読み取り手段を実行する際の階調数を決定する、ことを特徴とする請求項１７または請求項１８のいずれかに記載の画像形成装置である。
【００３８】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取りでの階調数を決定し、制御する。
【００３９】
ここで、無線タグに記憶された情報を用いて画像読み取り階調数を制御しているため、識別画像などを用いて制御する場合と比較して、正確な制御が可能になる。また、共振タグなどを用いて制御する場合と比較すると、多様な制御が正確な状態で可能になる。
【００４０】
（７）請求項７記載の発明は、前記制御ステップでは、前記通信ステップで読み取られた複写対象物の無線タグの記憶情報に従って、前記画像読み取りステップを実行する際の画素密度を決定する、ことを特徴とする請求項１または請求項２のいずれかに記載の画像形成方法である。
【００４１】
また、請求項２３記載の発明は、前記制御手段では、前記通信手段で読み取られた複写対象物の無線タグの記憶情報に従って、前記画像読み取り手段を実行する際の画素密度を決定する、ことを特徴とする請求項１７または請求項１８のいずれかに記載の画像形成装置である。
【００４２】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取りでの画素密度を決定し、制御する。
【００４３】
ここで、無線タグに記憶された情報を用いて画像読み取り画素密度を制御しているため、識別画像などを用いて制御する場合と比較して、正確な制御が可能になる。また、共振タグなどを用いて制御する場合と比較すると、多様な制御が正確な状態で可能になる。
【００４４】
（８）請求項８記載の発明は、前記制御ステップでは、前記通信ステップで読み取られた複写対象物の無線タグの記憶情報に従って、前記画像読み取りステップを実行する際の実行限度回数を決定する、ことを特徴とする請求項１または請求項２のいずれかに記載の画像形成方法である。
【００４５】
また、請求項２４記載の発明は、前記制御手段では、前記通信手段で読み取られた複写対象物の無線タグの記憶情報に従って、前記画像読み取り手段を実行する際の実行限度回数を決定する、ことを特徴とする請求項１７または請求項１８のいずれかに記載の画像形成装置である。
【００４６】
これらの発明では、複写対象物の内容を画像情報として読み取って複写する際に、複写対象物に貼付されている無線タグから記憶情報を取り出し、読み取られた複写対象物の無線タグの記憶情報に従って、画像読み取り実行限度回数を決定し、制御する。
【００４７】
ここで、無線タグに記憶された情報を用いて画像読み取り実行限度回数を制御しているため、識別画像などを用いて制御する場合と比較して、正確な制御が可能になる。また、共振タグなどを用いて制御する場合と比較すると、多様な制御が正確な状態で可能になる。
【００４８】
（９）請求項９記載の発明は、前記制御ステップでは、前記通信ステップで読み取られた複写対象物の無線タグの記憶情報に従って、前記画像形成ステップの実行許可／実行不許可を決定する、ことを特徴とする請求項１または請求項２のいずれかに記載の画像形成方法である。
【００４９】
また、請求項２５記載の発明は、前記制御手段では、前記通信手段で読み取られた複写対象物の無線タグの記憶情報に従って、前記画像形成手段の実行許可／実行不許可を決定する、ことを特徴とする請求項１７または請求項１８のいずれかに記載の画像形成装置である。
【００５０】
これらの発明では、複写対象物の内容を画像情報として読み取って複写する際に、複写対象物に貼付されている無線タグから記憶情報を取り出し、読み取られた複写対象物の無線タグの記憶情報に従って、画像形成の実行許可／実行不許可を決定し、制御する。
【００５１】
ここで、無線タグに記憶された情報を用いて画像形成許可／不許可を制御しているため、識別画像などを用いて制御する場合と比較して、正確な制御が可能になる。また、共振タグなどを用いて制御する場合と比較すると、多様な制御が正確な状態で可能になる。
【００５２】
（１０）請求項１０記載の発明は、前記制御ステップでは、前記通信ステップで読み取られた複写対象物の無線タグの記憶情報に従って、前記画像形成ステップの実行条件を決定する、ことを特徴とする請求項１または請求項２のいずれかに記載の画像形成方法である。
【００５３】
また、請求項２６記載の発明は、前記制御手段では、前記通信手段で読み取られた複写対象物の無線タグの記憶情報に従って、前記画像形成手段の実行条件を決定する、ことを特徴とする請求項１７または請求項１８のいずれかに記載の画像形成装置である。
【００５４】
これらの発明では、複写対象物の内容を画像情報として読み取って複写する際に、複写対象物に貼付されている無線タグから記憶情報を取り出し、読み取られた複写対象物の無線タグの記憶情報に従って、画像形成の実行条件を決定し、制御する。
【００５５】
ここで、無線タグに記憶された情報を用いて画像形成実行条件を制御しているため、識別画像などを用いて制御する場合と比較して、正確な制御が可能になる。また、共振タグなどを用いて制御する場合と比較すると、多様な制御が正確な状態で可能になる。
【００５６】
（１１）請求項１１記載の発明は、前記制御ステップでは、前記通信ステップで読み取られた複写対象物の無線タグの記憶情報に従って、前記画像形成ステップを実行する際の色数を決定する、ことを特徴とする請求項１または請求項２のいずれかに記載の画像形成方法である。
【００５７】
また、請求項２７記載の発明は、前記制御手段では、前記通信手段で読み取られた複写対象物の無線タグの記憶情報に従って、前記画像形成手段を実行する際の色数を決定する、ことを特徴とする請求項１７または請求項１８のいずれかに記載の画像形成装置である。
【００５８】
これらの発明では、複写対象物の内容を画像情報として読み取って複写する際に、複写対象物に貼付されている無線タグから記憶情報を取り出し、読み取られた複写対象物の無線タグの記憶情報に従って、画像形成で使用する色数を決定し、制御する。
【００５９】
ここで、無線タグに記憶された情報を用いて画像形成色数を制御しているため、識別画像などを用いて制御する場合と比較して、正確な制御が可能になる。また、共振タグなどを用いて制御する場合と比較すると、多様な制御が正確な状態で可能になる。
【００６０】
（１２）請求項１２記載の発明は、前記制御ステップでは、前記通信ステップで読み取られた複写対象物の無線タグの記憶情報に従って、前記画像形成ステップを実行する際の階調数を決定する、ことを特徴とする請求項１または請求項２のいずれかに記載の画像形成方法である。
【００６１】
また、請求項２８記載の発明は、前記制御手段では、前記通信手段で読み取られた複写対象物の無線タグの記憶情報に従って、前記画像形成手段を実行する際の階調数を決定する、ことを特徴とする請求項１７または請求項１８のいずれかに記載の画像形成装置である。
【００６２】
これらの発明では、複写対象物の内容を画像情報として読み取って複写する際に、複写対象物に貼付されている無線タグから記憶情報を取り出し、読み取られた複写対象物の無線タグの記憶情報に従って、画像形成での階調数を決定し、制御する。
【００６３】
ここで、無線タグに記憶された情報を用いて画像形成階調数を制御しているため、識別画像などを用いて制御する場合と比較して、正確な制御が可能になる。また、共振タグなどを用いて制御する場合と比較すると、多様な制御が正確な状態で可能になる。
【００６４】
（１３）請求項１３記載の発明は、前記制御ステップでは、前記通信ステップで読み取られた複写対象物の無線タグの記憶情報に従って、前記画像形成ステップを実行する際の画素密度を決定する、ことを特徴とする請求項１または請求項２のいずれかに記載の画像形成方法である。
【００６５】
また、請求項２９記載の発明は、前記制御手段では、前記通信手段で読み取られた複写対象物の無線タグの記憶情報に従って、前記画像形成手段を実行する際の画素密度を決定する、ことを特徴とする請求項１７または請求項１８のいずれかに記載の画像形成装置である。
【００６６】
これらの発明では、複写対象物の内容を画像情報として読み取って複写する際に、複写対象物に貼付されている無線タグから記憶情報を取り出し、読み取られた複写対象物の無線タグの記憶情報に従って、画像形成での画素密度を決定し、制御する。
【００６７】
ここで、無線タグに記憶された情報を用いて画像形成画素密度を制御しているため、識別画像などを用いて制御する場合と比較して、正確な制御が可能になる。また、共振タグなどを用いて制御する場合と比較すると、多様な制御が正確な状態で可能になる。
【００６８】
（１４）請求項１４記載の発明は、前記制御ステップでは、前記通信ステップで読み取られた複写対象物の無線タグの記憶情報に従って、前記画像形成ステップを実行する際の実行限度回数を決定する、ことを特徴とする請求項１または請求項２のいずれかに記載の画像形成方法である。
【００６９】
また、請求項３０記載の発明は、前記制御手段では、前記通信手段で読み取られた複写対象物の無線タグの記憶情報に従って、前記画像形成手段を実行する際の実行限度回数を決定する、ことを特徴とする請求項１７または請求項１８のいずれかに記載の画像形成装置である。
【００７０】
これらの発明では、複写対象物の内容を画像情報として読み取って複写する際に、複写対象物に貼付されている無線タグから記憶情報を取り出し、読み取られた複写対象物の無線タグの記憶情報に従って、画像形成の実行限度回数を決定し、制御する。
【００７１】
ここで、無線タグに記憶された情報を用いて画像形成実行限度回数を制御しているため、識別画像などを用いて制御する場合と比較して、正確な制御が可能になる。また、共振タグなどを用いて制御する場合と比較すると、多様な制御が正確な状態で可能になる。
【００７２】
（１５）請求項１５記載の発明は、前記制御ステップでは、前記通信ステップで読み取られた複写対象物の無線タグの記憶情報に従って、前記画像形成ステップを実行する際に所定の画像を含めるようにする、ことを特徴とする請求項１乃至請求項１４のいずれかに記載の画像形成方法である。
【００７３】
また、請求項３１記載の発明は、前記制御手段では、前記通信手段で読み取られた複写対象物の無線タグの記憶情報に従って、前記画像形成手段を実行する際に所定の画像を含めるようにする、ことを特徴とする請求項１７乃至請求項３０のいずれかに記載の画像形成装置である。
【００７４】
これらの発明では、原稿読み取り手段で読み取った画像について画像形成を実行する際に、通信ステップで読み取られた複写対象物の無線タグの記憶情報に従って所定の画像を含めるようにする。ここで、所定の画像とは、複写結果物であることを示す画像などである。
【００７５】
（１６）請求項１６記載の発明は、前記制御ステップでは、前記通信ステップで読み取られた複写対象物の無線タグの記憶情報に従って、前記画像形成ステップを実行する際に、前記無線タグに記憶された画像を含めるようにする、ことを特徴とする請求項１乃至請求項１４のいずれかに記載の画像形成方法である。
【００７６】
また、請求項３２記載の発明は、前記制御手段では、前記通信手段で読み取られた複写対象物の無線タグの記憶情報に従って、前記画像形成手段を実行する際に、前記無線タグに記憶された画像を含めるようにする、ことを特徴とする請求項１７乃至請求項３０のいずれかに記載の画像形成装置である。
【００７７】
これらの発明では、原稿読み取り手段で読み取った画像について画像形成を実行する際に、通信ステップで読み取られた複写対象物の無線タグの記憶情報に従って、無線タグに記憶されている画像を含めるようにする。ここで、無線タグに記憶されている画像とは、複写結果物であることを示す画像などが該当する。
【発明の効果】
【００７８】
以上、説明したように、本発明によれば、以下のような効果が得られる。
（１）請求項１と請求項１７とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取りと画像形成との少なくとも一方を制御する。ここで、無線タグに記憶された情報を用いて画像読み取りもしくは画像形成を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取りや画像形成を正確に制御することが可能になる。
【００７９】
（２）請求項２と請求項１８とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取りと画像形成との少なくとも一方を制御する。ここで、無線タグに記憶された情報を用いて画像読み取りもしくは画像形成を制御しているため、識別画像などを用いて制御する場合と比較して、正確な制御が可能になる。また、共振タグなどを用いて制御する場合と比較すると、多様な制御が正確な状態で可能になる。また、原稿読み取りもしくは画像形成の動作に応じて、複写対象物に貼付されている無線タグの記憶情報を更新する。この結果、複写対象物の画像を読み取って複写する際に、複写対象物に付されている情報に応じて、定められた条件（複写回数など）を満たすまで、画像読み取りや画像形成を正確に制御することが可能になる。
【００８０】
（３）請求項３と請求項１９とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取りの実行許可／実行不許可を決定し、制御する。ここで、無線タグに記憶された情報を用いて画像読み取り許可／不許可を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り許可／不許可を正確に制御することが可能になる。
【００８１】
（４）請求項４と請求項２０とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取りの実行条件を決定し、制御する。ここで、無線タグに記憶された情報を用いて画像読み取り実行条件を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り条件を正確に制御することが可能になる。
【００８２】
（５）請求項５と請求項２１とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取り色数を決定し、制御する。ここで、無線タグに記憶された情報を用いて画像読み取りでの色数を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り色数を正確に制御することが可能になる。
【００８３】
（６）請求項６と請求項２２とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取りでの階調数を決定し、制御する。ここで、無線タグに記憶された情報を用いて画像読み取り階調数を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り階調数を正確に制御することが可能になる。
【００８４】
（７）請求項７と請求項２３とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取りでの画素密度を決定し、制御する。ここで、無線タグに記憶された情報を用いて画像読み取り画素密度を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り画素密度を正確に制御することが可能になる。
【００８５】
（８）請求項８と請求項２４とに記載の発明では、複写対象物の内容を画像情報として読み取って複写する際に、複写対象物に貼付されている無線タグから記憶情報を取り出し、読み取られた複写対象物の無線タグの記憶情報に従って、画像読み取り実行限度回数を決定し、制御する。ここで、無線タグに記憶された情報を用いて画像読み取り実行限度回数を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り実行限度回数を正確に制御することが可能になる。
【００８６】
（９）請求項９と請求項２５とに記載の発明では、複写対象物の内容を画像情報として読み取って複写する際に、複写対象物に貼付されている無線タグから記憶情報を取り出し、読み取られた複写対象物の無線タグの記憶情報に従って、画像形成の実行許可／実行不許可を決定し、制御する。ここで、無線タグに記憶された情報を用いて画像形成許可／不許可を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成許可／不許可を正確に制御することが可能になる。
【００８７】
（１０）請求項１０と請求項２６とに記載の発明では、複写対象物の内容を画像情報として読み取って複写する際に、複写対象物に貼付されている無線タグから記憶情報を取り出し、読み取られた複写対象物の無線タグの記憶情報に従って、画像形成の実行条件を決定し、制御する。ここで、無線タグに記憶された情報を用いて画像形成実行条件を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成条件を正確に制御することが可能になる。
【００８８】
（１１）請求項１１と請求項２７とに記載の発明では、複写対象物の内容を画像情報として読み取って複写する際に、複写対象物に貼付されている無線タグから記憶情報を取り出し、読み取られた複写対象物の無線タグの記憶情報に従って、画像形成で使用する色数を決定し、制御する。ここで、無線タグに記憶された情報を用いて画像形成色数を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成色数を正確に制御することが可能になる。
【００８９】
（１２）請求項１２と請求項２８とに記載の発明では、複写対象物の内容を画像情報として読み取って複写する際に、複写対象物に貼付されている無線タグから記憶情報を取り出し、読み取られた複写対象物の無線タグの記憶情報に従って、画像形成での階調数を決定し、制御する。ここで、無線タグに記憶された情報を用いて画像形成階調数を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成階調数を正確に制御することが可能になる。
【００９０】
（１３）請求項１３と請求項２９とに記載の発明では、複写対象物の内容を画像情報として読み取って複写する際に、複写対象物に貼付されている無線タグから記憶情報を取り出し、読み取られた複写対象物の無線タグの記憶情報に従って、画像形成での画素密度を決定し、制御する。ここで、無線タグに記憶された情報を用いて画像形成画素密度を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成画素密度を正確に制御することが可能になる。
【００９１】
（１４）請求項１４と請求項３０とに記載の発明では、複写対象物の内容を画像情報として読み取って複写する際に、複写対象物に貼付されている無線タグから記憶情報を取り出し、読み取られた複写対象物の無線タグの記憶情報に従って、画像形成の実行限度回数を決定し、制御する。ここで、無線タグに記憶された情報を用いて画像形成実行限度回数を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成実行限度回数を正確に制御することが可能になる。
【００９２】
（１５）請求項１５と請求項３１とに記載の発明では、原稿読み取り手段で読み取った画像について画像形成を実行する際に、通信ステップで読み取られた複写対象物の無線タグの記憶情報に従って所定の画像を含めるようにする。ここで、所定の画像とは、複写結果物であることを示す画像などである。この結果、複写対象物の画像を読み取って複写する際に、複写対象物に付されている情報に応じて、画像形成の状態を正確に制御および管理し、複写結果物が複写によるものであることを明示することが可能になる。
【００９３】
（１６）請求項１６と請求項３２とに記載の発明では、原稿読み取り手段で読み取った画像について画像形成を実行する際に、通信ステップで読み取られた複写対象物の無線タグの記憶情報に従って、無線タグに記憶されている画像を含めるようにする。ここで、無線タグに記憶されている画像とは、複写結果物であることを示す画像などが該当する。この結果、複写対象物の画像を読み取って複写する際に、複写対象物に付されている情報に応じて、画像形成の状態を正確に制御および管理し、複写結果物が複写によるものであることを明示することが可能になる。
【発明を実施するための最良の形態】
【００９４】
以下、図面を参照して本発明の実施の形態例を詳細に説明する。なお、以下の実施の形態例では、原稿読み取り手段により複写対象物の内容を画像情報として読み取って複写する機能を備えた画像形成装置（複写機）を具体例にして画像形成装置の説明を行う。ただし、原稿読み取り手段（スキャナ）と画像形成手段（プリンタ部）とがネットワークを介して接続された場合であっても、本発明を適用することが可能である。
【００９５】
〈第１の実施の形態例〉
まず図２を参照して本実施の形態例の画像形成装置が適用される装置の全体構成の機械的構成を説明する。
【００９６】
この図２において、１０は電子写真方式などにより記録紙上に画像を形成する画像形成手段、２０は複写対象物である原稿の画像を読み取ることで画像情報（画像データ）を生成・出力する原稿読み取り手段、である。
【００９７】
ここで、画像形成手段１０は、感光体１１を有し、該感光体１１上に、帯電、露光、現像によりトナー像を形成し、感光体１１に形成されたトナー像を記録紙に転写する像形成ユニット１２、画像が形成される記録紙を収納する給紙部１３ａ、１３ｂ、１３ｃ、１３ｄ、両面画像形成用の記録紙反転部１４及び記録紙上のトナー像を定着する定着器１５を有する。
【００９８】
原稿読取り手段２０は原稿が載置される原稿載置部２１、原稿を搬送し、読み取り位置を形成するプラテンローラ２２、読み取り済み原稿が載置される原稿排紙台２３及び画像光を受光し、画像信号に変換するイメージセンサ２４を有する。
【００９９】
なお、原稿読み取り手段２０には、複写対象物である原稿を読みとりつつ、複写対象物に貼付されている無線タグから記憶情報を取り出す通信手段としてのタグリーダ１５１を備えている。なお、タグリーダ１５１は無線タグから記憶情報を読み出すだけでなく、該記憶情報を更新するタグライタの機能を備えていてもよい。
【０１００】
また、この実施の形態例の画像形成装置では、画像形成手段１０は、レーザビームを用いる電子写真方式のもののほか、ＬＥＤプリントヘッドを用いるものや、インクジェット方式のものであってもよい。
【０１０１】
つぎに、図１により本実施の形態例の画像形成装置の主要な構成要素の電気的構成を示す。
【０１０２】
本発明の実施の形態例の画像形成装置は、原稿読み取り手段により複写対象物の内容を画像情報として読み取って複写する機能を備え、複写対象物の無線タグの記憶情報に従って画像読み取りと前記画像形成との少なくとも一方の各種条件を制御するする機能を備えている。
【０１０３】
１１０は画像形成装置１００の各部を制御する制御手段であり、本実施の形態例では、複写対象物の内容を画像情報として読み取って複写する際の制御、複写対象物に貼付されている無線タグから記憶情報を読み取る制御、読み取られた複写対象物の無線タグの記憶情報に従って画像読み取りと画像形成との少なくとも一方についての制御、原稿読み取りもしくは画像形成の動作に応じて複写対象物に貼付されている無線タグの記憶情報を更新する制御、についての機能を備えている。
【０１０４】
なお、制御手段１１０は画像形成や画像処理のための制御プログラムを実行しており、その制御プログラムに基づいて本実施の形態例の動作の制御や各種画像処理の制御を実行するものである。また、制御手段１１０は操作部１１１からの設定に応じて動作を制御する。
【０１０５】
１２０は原稿を読み取って画像データを生成する原稿読み取り手段であり、図３の原稿読み取り手段２０の電気的構成部分である。この原稿読み取り手段１２０は、前記制御手段１１０から、画像読み取り許可／不許可、画像読み取り実行条件、画像読み取りでの色数、画像読み取り階調数、画像読み取り画素密度、画像読み取り実行限度回数、についての制御を受け、該制御に従って動作する。
【０１０６】
１３０は原稿読み取り手段１２０からの画像データに対して画像形成に必要な各種画像処理を施す画像処理手段である。
【０１０７】
１４０は画像データを順番に従って画像形成して記録紙上に画像として形成するプリントエンジンからなる画像形成手段であり、図３の画像形成手段１０の電気的構成部分である。この画像形成手段１４０は、前記制御手段１１０から、画像形成許可／不許可、画像形成実行条件、画像形成での色数、画像形成階調数、画像形成画素密度、画像形成実行限度回数、についての制御を受け、該制御に従って動作する。
【０１０８】
１５１は画像読み取り手段１２０での読み取りの際に複写対象物に貼付されている無線タグから記憶情報を取り出す通信手段としてのタグリーダである。なお、タグリーダ１５１は、無線タグから記憶情報を読み出す機能を最低限備えているものであり、必要に応じて該記憶情報を更新するタグライタの機能を備えていてもよい。
【０１０９】
図３は複写対象物２００の一例を示す説明図である。本発明の実施の形態例の画像形成装置は書籍などの複数頁の複写対象物２００を複写して、後処理として複数頁の記録紙を製本して出力する機能を備えている。そして、本発明の実施の形態例の画像形成装置が扱う複写対象物２００としては、書籍のいずれかの位置（表紙など）に非接触記憶媒体としての無線タグ２０１が付加されているとする。
【０１１０】
ここで「無線タグ」は、無線通信ＩＣとアンテナとを内蔵したチップであって、この無線通信ＩＣ内にさまざまな情報が記録されている。
【０１１１】
この無線タグにはいくつかのタイプが存在するが、パッシブ型と呼ばれる無線タグの場合、無線タグ内のアンテナで外部（タグリーダ）から発信されている電波を拾い、その誘導起電力を利用して無線ＩＣを動作させる。そして、無線ＩＣ内のメモリに記録されているデータを、タグリーダからの電波にあわせて送信したり、あるいはメモリ中のデータを書き換えたりすることができる。
【０１１２】
また、この無線タグにはいくつかの構成のものがが存在するが、プラスチックフィルム上に無線ＩＣのチップと、アンテナとが埋め込まれていて、シート状の薄型に構成されたものが存在している。
【０１１３】
また、この無線タグ２０１に記憶されている情報としては、図４に示す通り、画像読み取り許可／不許可情報、画像読み取り実行条件情報、画像読み取り色数情報、画像読み取り階調数情報、画像読み取り画素密度情報、画像読み取り実行限度回数情報、画像形成許可／不許可情報、画像形成実行条件情報、画像形成色数情報、画像形成階調数情報、画像形成画素密度情報、画像形成実行限度回数情報、画像添付処理、添付画像データ、などである。なお、この図４に示す情報は本実施の形態例に関連するものであって、その他のデータや各種情報が保存されていても良い。
【０１１４】
以上のような画像形成装置において、本実施の形態例の特徴部分の動作について、図５以降のフローチャートを参照して説明する。なお、以下の説明で、特に断りが無い場合には、制御手段１１０の制御であるとする。
【０１１５】
まず、制御手段１１０は操作部１１１からの設定により複写動作についての各種モードの設定（複写設定）を行う（ステップＳ５０１）。そして、複写設定が完了して、複写動作が可能になった時点で制御手段１１０はコピーボタンの押下を待ち受けている（ステップＳ５０２）。
【０１１６】
コピーボタンの押下があれば（ステップＳ５０２でＹ）、複写対象物２００に非接触記憶媒体としての無線タグ２０１が存在しているか否かを確認する（ステップＳ５０３）。この存在有無の確認は、無線タグ２０１に応じて予め定められた周波数の電波を発信して、その応答があるか否かにより確認することができる。
【０１１７】
複写対象物２００に非接触記憶媒体としての無線タグ２０１が存在していれば（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像読み取りと画像形成との少なくとも一方を制御すべく、「記憶情報内容による複写動作」を行う（ステップＳ５０６）。この「記憶情報内容による複写動作」（ステップＳ５０６）。については、後述する。
【０１１８】
複写対象物２００に非接触記憶媒体としての無線タグ２０１が存在していなければ（ステップＳ５０４でＮ）、複写設定（Ｓ５０１）を参照して、通常の画像形成を行う（ステップＳ５０７）。なお、この通常の画像形成は既知の一般的な動作であるため、その詳細な動作説明は省略する。
【０１１９】
図６は、複写対象物２００に非接触記憶媒体としての無線タグ２０１が存在していて（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像読み取りを制御すべく、「記憶情報内容による複写動作」を行う（ステップＳ５０６）場合の詳細を示すフローチャートである。
【０１２０】
まず、制御手段１１０は、無線タグ２０１に記憶されている情報として、読み取り許可／不許可情報が不許可状態（読み取り禁止情報）になっているかを調べる（ステップＳ６０１）。
【０１２１】
ここで、読み取り許可／不許可情報が不許可状態になっていれば（ステップＳ６０１でＹ）、制御手段１１０は読み取り手段１２０に対して読み取り不許可の指示を与える（ステップＳ６０２）。したがって、画像形成装置としては、コピーボタンの押下（ステップＳ５０２Ｙ）にもかかわらず、読み取りを実行しない。この際に、制御手段１１０は、表示部１１２に読み取り不可であることを示すメッセージを表示する（ステップＳ６０３）。
【０１２２】
一方、読み取り許可／不許可情報が許可状態になっていれば（ステップＳ６０１でＮ）、制御手段１１０は、表示部１１２に読み取り許可であることを示すメッセージを表示する（ステップＳ６０４）。
【０１２３】
そして、制御手段１１０は読み取り手段１２０に対して読み取り許可の指示を与え、画像形成装置としては、コピーボタンの押下（ステップＳ５０２Ｙ）に応じて、原稿読み取りを実行し（ステップＳ６０５）、通常の複写動作（読み取り動作・画像形成動作）を実行する（ステップＳ６０６）。
【０１２４】
以上のように、無線タグに記憶された情報を用いて画像読み取り許可／不許可を制御しているため、識別画像などを用いて制御する場合と比較して、正確な制御が可能になる。また、共振タグなどを用いて制御する場合と比較しても、制御が正確な状態で可能になる。この結果、複写対象物の画像を読み取って複写する際に、複写対象物に付されている情報に応じて、画像読み取り許可／不許可を正確に制御することが可能になる。
【０１２５】
図７は、複写対象物２００に非接触記憶媒体としての無線タグ２０１が存在していて（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像読み取りを制御すべく、「記憶情報内容による複写動作」を行う（ステップＳ５０６）場合の他の例を詳細に示すフローチャートである。
【０１２６】
まず、制御手段１１０は、無線タグ２０１に記憶されている情報として、読み取り実行限度回数情報（読み取り回数制限）が存在しているかを調べる（ステップＳ７０１）。
【０１２７】
そして、読み取り実行限度回数情報が存在していれば（ステップＳ７０１でＹ）、制御手段１１０は読み取り実行限度回数の数値と、実際に読み取った読み取り回数の数値とを読み出す（ステップＳ７０２）。
【０１２８】
ここで、実際に読み取った読み取り回数の数値が読み取り実行限度回数の数値以上になっていれば（ステップＳ７０３でＹ）、これ以上の読み取りはできないため、読み取り手段１２０に対して読み取り不許可の指示を与える（ステップＳ７０４）。したがって、画像形成装置としては、コピーボタンの押下（ステップＳ５０２Ｙ）にもかかわらず、読み取りを実行しない。この際に、制御手段１１０は、表示部１１２に読み取り不可であることを示すメッセージを表示する（ステップＳ７０５）。
【０１２９】
一方、実際に読み取った読み取り回数の数値が読み取り実行限度回数の数値未満であれば（ステップＳ７０３でＮ）、制御手段１１０は、実際に読み取った読み取り回数の数値をインクリメントして１増加させ（ステップＳ７０６）、この実際に読み取った読み取り回数の数値を無線タグ２０１に記憶させる（ステップＳ７０７）。さらに、制御手段１１０は、表示部１１２に読み取り許可であることを示すメッセージを表示する（ステップＳ７０８）。そして、制御手段１１０は読み取り手段１２０に対して読み取り許可の指示を与え、画像形成装置としては、コピーボタンの押下（ステップＳ５０２Ｙ）に応じて、原稿読み取りを実行し（ステップＳ７０９）、通常の複写動作（読み取り動作・画像形成動作）を実行する（ステップＳ７１０）。
【０１３０】
以上のように、無線タグに記憶された情報を用いて画像読み取り回数を制御しているため、識別画像などを用いて制御する場合と比較して、正確な制御が可能になる。また、読み取り実行回数を複写対象物側の無線タグ２０１に記憶させるようにしているので、共振タグなどを用いて制御する場合と比較すると、多様な制御が正確な状態で可能になる。この結果、複写対象物の画像を読み取って複写する際に、複写対象物に付されている情報に応じて、画像読み取り回数を正確に制御することが可能になる。
【０１３１】
図８は、複写対象物２００に非接触記憶媒体としての無線タグ２０１が存在していて（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像読み取りを制御すべく、「記憶情報内容による複写動作」を行う（ステップＳ５０６）場合の更に他の例の詳細を示すフローチャートである。
【０１３２】
まず、制御手段１１０は、無線タグ２０１に記憶されている情報として、読み取り精度制限情報（画像読み取り実行条件情報、画像読み取り色数情報、画像読み取り階調数情報、画像読み取り画素密度情報、など）が存在しているかを調べる（ステップＳ８０１）。
【０１３３】
ここで、読み取り精度制限情報が存在していれば（ステップＳ８０１でＹ）、制御手段１１０は読み取り手段１２０に対して、読み取り精度制限情報に応じて読み取り条件（画像読み取り色数、画像読み取り階調数、画像読み取り画素密度など）の変更の指示を与える（ステップＳ８０２）。この際に、制御手段１１０は、表示部１１２に読み取り精度制限情報に応じた読み取り条件変更があったことを示すメッセージを表示する（ステップＳ８０３）。したがって、画像形成装置としては、オペレータによる操作部１１１から複写設定にもかかわらず、読み取り精度制限情報に応じた設定で複写の設定が行われる。
【０１３４】
一方、読み取り精度制限情報が存在しなければ（ステップＳ８０１でＮ）、制御手段１１０は、表示部１１２に読み取り精度の変更が無いことを示すメッセージを表示する（ステップＳ８０４）。
【０１３５】
そして、制御手段１１０は読み取り手段１２０に対して読み取り許可の指示を与え、画像形成装置としては、コピーボタンの押下（ステップＳ５０２Ｙ）に応じて、読み取り精度制限情報が存在すればその設定、読み取り精度制限情報が存在しなければ操作部１１１の設定に応じて、原稿読み取りを実行し（ステップＳ８０５）、複写動作（読み取り動作・画像形成動作）を実行する（ステップＳ８０６）。
【０１３６】
以上のように、無線タグに記憶された情報を用いて画像読み取り精度を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像読み取り条件を正確に制御することが可能になる。
【０１３７】
この実施の形態例では、たとえば、複写によっては、画像読み取り色数，画像読み取り階調数，画像読み取り画素密度などをオリジナルの複写対象物や画像読み取り手段の性能より低下させることで、オリジナルと同等の複写結果物が容易に複製されないようにすることが可能になる。
【０１３８】
図９は、複写対象物２００に非接触記憶媒体としての無線タグ２０１が存在していて（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像読み取りを制御すべく、「記憶情報内容による複写動作」を行う（ステップＳ５０６）場合に、複数の条件が組み合わされた場合の詳細を示すフローチャートである。
【０１３９】
まず、制御手段１１０は、無線タグ２０１に記憶されている情報として、読み取り許可／不許可情報が不許可状態（読み取り禁止情報）になっているかを調べる（ステップＳ９０１）。
【０１４０】
ここで、読み取り許可／不許可情報が不許可状態になっていれば（ステップＳ９０１でＹ）、制御手段１１０は、表示部１１２に読み取り不可であることを示すメッセージをセットし（ステップＳ９０２）、そのメッセージを表示する（ステップＳ９０３）。
【０１４１】
そして、制御手段１１０は読み取り手段１２０に対して読み取り不許可の指示を与える（ステップＳ９０４）。したがって、画像形成装置としては、コピーボタンの押下（ステップＳ５０２Ｙ）にもかかわらず、読み取りを実行しない。
【０１４２】
一方、読み取り許可／不許可情報が許可状態になっていれば（ステップＳ９０１でＮ）、制御手段１１０は、無線タグ２０１に記憶されている情報として、読み取り実行限度回数情報（読み取り回数制限）が存在しているかを調べる（ステップＳ９０５）。そして、読み取り実行限度回数情報が存在していれば（ステップＳ９０５でＹ）、制御手段１１０は読み取り実行限度回数の数値と、実際に読み取った読み取り回数の数値とを読み出す（ステップＳ９０６）。
【０１４３】
ここで、実際に読み取った読み取り回数の数値が読み取り実行限度回数の数値以上になっていれば（ステップＳ９０７でＹ）、これ以上の読み取りはできないため、制御手段１１０は、読み取り手段１２０に対して読み取り不許可の指示を与え、表示部１１２に「読み取り回数が制限を越えている」ことを示すメッセージをセットし（ステップＳ９０８）、そのメッセージを表示する（ステップＳ９０３）。
【０１４４】
一方、実際に読み取った読み取り回数の数値が読み取り実行限度回数の数値未満であれば（ステップＳ９０７でＮ）、制御手段１１０は、実際に読み取った読み取り回数の数値をインクリメントして１増加させ（ステップＳ９０９）、この実際に読み取った読み取り回数の数値を無線タグ２０１に記憶させる（ステップＳ９１０）。さらに、制御手段１１０は、表示部１１２に読み取り許可であることを示すメッセージを表示する（ステップＳ９１１）。
【０１４５】
さらに、制御手段１１０は、無線タグ２０１に記憶されている情報として、読み取り精度制限情報（画像読み取り実行条件情報、画像読み取り色数情報、画像読み取り階調数情報、画像読み取り画素密度情報、など）が存在しているかを調べる（ステップＳ９１２）。
【０１４６】
ここで、読み取り精度制限情報が存在していれば（ステップＳ９１２でＹ）、制御手段１１０は読み取り手段１２０に対して、読み取り精度制限情報に応じて読み取り条件（画像読み取り色数、画像読み取り階調数、画像読み取り画素密度など）の変更の指示を与える（ステップＳ９１３）。この際に、制御手段１１０は、表示部１１２に読み取り精度制限情報に応じた読み取り条件変更があったことを示すメッセージをセットし（ステップＳ９１４）、そのメッセージを表示する（ステップＳ９１５）。したがって、画像形成装置としては、オペレータによる操作部１１１から複写設定にもかかわらず、読み取り精度制限情報に応じた設定で複写の設定が行われる。
【０１４７】
一方、読み取り精度制限情報が存在しなければ（ステップＳ９１２でＮ）、制御手段１１０は、表示部１１２に読み取り精度の変更が無いことを示すメッセージをセットし（ステップＳ９１６）、そのメッセージを表示する（ステップＳ９１７）。
【０１４８】
そして、制御手段１１０は読み取り手段１２０に対して読み取り許可の指示を与え、画像形成装置としては、コピーボタンの押下（ステップＳ５０２Ｙ）に応じて、読み取り精度制限情報が存在すればその設定、読み取り精度制限情報が存在しなければ操作部１１１の設定に応じて、原稿読み取りを実行し（ステップＳ９１８）、複写動作（読み取り動作・画像形成動作）を実行する（ステップＳ９１９）。
【０１４９】
以上のように、無線タグに記憶された情報を用いて画像形成実行条件を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成条件（読み取り許可／不許可、読み取った読み取り回数、読み取り精度）を正確に制御することが可能になる。
【０１５０】
図１０は、複写対象物２００に非接触記憶媒体としての無線タグ２０１が存在していて（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像形成を制御すべく、「記憶情報内容による複写動作」を行う（ステップＳ５０６）場合の詳細を示すフローチャートである。
【０１５１】
まず、制御手段１１０は、無線タグ２０１に記憶されている情報として、画像形成精度制限情報（画像形成実行条件情報、画像形成色数情報、画像形成階調数情報、画像形成画素密度情報、など）が存在しているかを調べる（ステップＳ１００１）。
【０１５２】
ここで、画像形成精度制限情報が存在していれば（ステップＳ１００１でＹ）、制御手段１１０は画像形成手段１４０に対して、画像形成精度制限情報に応じて読み取り条件（画像形成色数、画像形成階調数、画像形成画素密度など）の変更の指示を与える（ステップＳ１００２）。
【０１５３】
この際に、制御手段１１０は、表示部１１２に画像形成精度制限情報に応じた画像形成条件変更があったことを示すメッセージを表示する（ステップＳ１００３）。したがって、画像形成装置としては、オペレータによる操作部１１１から複写設定にもかかわらず、画像形成精度制限情報に応じた設定で複写の設定が行われる。
【０１５４】
一方、画像形成精度制限情報が存在しなければ（ステップＳ１００１でＮ）、制御手段１１０は、必要に応じて、表示部１１２に画像形成精度の変更が無いことを示すメッセージを表示する。
【０１５５】
そして、制御手段１１０は画像形成手段１４０に対して画像形成許可の指示を与え、画像形成装置としては、コピーボタンの押下（ステップＳ５０２Ｙ）に応じて、画像形成精度制限情報が存在すればその設定、画像形成精度制限情報が存在しなければ操作部１１１の設定に応じて、既に読み取りによって生成された画像データに応じて、複写動作（画像形成動作）を実行する（ステップＳ１００５）。
【０１５６】
以上のように、無線タグに記憶された情報を用いて画像形成条件を制御しているため、識別画像などを用いて制御する場合と比較して、正確な制御が可能になる。また、共振タグなどを用いて制御する場合と比較すると、多様な制御が正確な状態で可能になる。この結果、複写対象物の画像を読み取って複写する際に、複写対象物に付されている情報に応じて、画像形成条件を正確に制御することが可能になる。
【０１５７】
この実施の形態例では、たとえば、複写によっては、画像形成色数，画像形成階調数，画像形成画素密度などをオリジナルの複写対象物や画像形成装置の性能より低下させることで、オリジナルと同等の複写結果物が容易に複製されないようにすることが可能になる。
【０１５８】
図１１は、複写対象物２００に非接触記憶媒体としての無線タグ２０１が存在していて（ステップＳ５０４でＹ）、複写対象物の内容を画像情報として読み取って複写する際に、複写対象物２００に貼付されている無線タグ２０１から記憶情報を取り出し（ステップＳ５０５）、読み取られた複写対象物の無線タグの記憶情報に従って、画像形成を制御すべく、「記憶情報内容による複写動作」を行う（ステップＳ５０６）場合の、更に別の例の詳細を示すフローチャートである。
【０１５９】
まず、制御手段１１０は、無線タグ２０１に記憶されている情報として、画像添付複写処理が指定されているかを調べる（ステップＳ１１０１）。この画像添付複写処理とは、複写結果物であることを示す所定の画像を、すかし、あるいはウォーターマークなどのように重畳して、複写結果物側に形成することである。
【０１６０】
ここで、画像添付複写処理指定が存在していなければ（ステップＳ１１０１でＮ）、通常の画像形成を行う（ステップＳ１１０２）。
【０１６１】
そして、画像添付複写処理指定が存在していれば（ステップＳ１１０１でＹ）、制御手段１１０は、画像添付複写処理に関する設定情報を無線タグ２０１からを読み出す（ステップＳ１１０３）。
【０１６２】
ここで、画像添付複写処理で複写結果物に重畳する画像が無線タグ２０１に記憶されていれば（ステップＳ１１０４でＹ）、無線タグ２０１から重畳すべき画像を読み取る（ステップＳ１１０５）。また、画像添付複写処理で複写結果物に重畳する画像が画像形成装置に記憶されていれば（ステップＳ１１０４でＮ）、画像形成装置のデータ保持手段（図示せず）から重畳すべき画像を読み取る（ステップＳ１１０６）。
【０１６３】
そして、原稿読み取り手段１２０で読み取った画像について画像形成を実行する際に、複写対象物２００の無線タグ２０１の記憶情報に従って、所定の位置に所定の画像を含める（重畳する）ように画像形成を実行する（ステップＳ１１０７）。
【０１６４】
この結果、複写対象物の画像を読み取って複写する際に、複写対象物に付されている情報に応じて、画像形成の状態を正確に制御および管理し、複写結果物が複写によるものであることを明示することが可能になる。
【０１６５】
その他の実施の形態例：
（１）以上の各実施の形態例では、画像読み取りと画像形成とを分けて説明したが、読み取りと画像形成とは一連のものであるため、各フローチャートを組み合わせた制御を行うことが可能である。
【０１６６】
（２）以上の実施の形態例の説明では、非接触情報記憶媒体として「無線タグ」を具体例に用いてきたが、同様な手段によって非接触で情報の読み書きが可能な記憶媒体に対しても適用することが可能である。
【図面の簡単な説明】
【０１６７】
【図１】本発明の実施の形態例の画像形成装置の電気的な構成を示す構成ブロック図である。
【図２】本発明の実施の形態例の画像形成装置の機械的な構成を示す構成ブロック図である。
【図３】本発明の実施の形態例で使用する複写対象物の構成を示す説明図である。
【図４】本発明の実施の形態例で使用する無線タグ２０１に記憶されている情報の一例を示す説明図である。
【図５】本発明の実施の形態例の画像形成装置の動作を示すフローチャートである。
【図６】本発明の実施の形態例の画像形成装置の動作を示すフローチャートである。
【図７】本発明の実施の形態例の画像形成装置の動作を示すフローチャートである。
【図８】本発明の実施の形態例の画像形成装置の動作を示すフローチャートである。
【図９】本発明の実施の形態例の画像形成装置の動作を示すフローチャートである。
【図１０】本発明の実施の形態例の画像形成装置の動作を示すフローチャートである。
【図１１】本発明の実施の形態例の画像形成装置の動作を示すフローチャートである。
【符号の説明】
【０１６８】
１１０  制御手段
１１１  操作部
１２０  画像読み取り手段
１３０  画像処理手段
１４０  画像形成手段
１５１  タグリーダ
【図１】
2005117410.tif 000003
【図２】
2005117410.tif 000004
【図３】
2005117410.tif 000005
【図４】
2005117410.tif 000006
【図５】
2005117410.tif 000007
【図６】
2005117410.tif 000008
【図７】
2005117410.tif 000009
【図８】
2005117410.tif 000010
【図９】
2005117410.tif 000011
【図１０】
2005117410.tif 000012
【図１１】
2005117410.tif 000013